(57)【要約】      （修正有）【課題】発信者の体調不良や声の特質に基づく受信者側での聞き取りにくさを抑制できる電話装置を提供する。【解決手段】電話装置が、音声を入力するための入出力部１０１と、入出力部１０１によって入力された音声を発信前に変更するための音声変換部１０９とを備えるようにする。音声を入力するための音声入力手段と、その音声入力手段によって入力された音声を発信前に変更するための音声変更手段とを備えるから、入力された発信側のユーザーの音声を、音声変更手段で適宜発信前に変更することができる。したがって、発信側のユーザーが体調が悪くて声がかすれている場合や、発信側のユーザーの滑舌が悪い場合等においても、それら聞き取りにくい音声がそのまま受信側に送信されることがないから、より円滑な通話を実現できる。【選択図】図１
2014060601.tif 000002
【特許請求の範囲】
【請求項１】
音声を入力するための音声入力手段と、
上記音声入力手段によって入力された音声を発信前に変更するための音声変更手段と
を備えることを特徴とする電話装置。
【請求項２】
請求項１に記載の電話装置において、
相手情報を入力するための相手情報入力手段と、
相手情報と関連づけて音声パラメータを記憶するための相手情報記憶手段と、
上記相手情報入力手段からの上記相手情報が上記相手情報記憶手段に記憶されている場合に、その相手情報に関連づけて記憶されている音声パラメータを表す信号を上記音声変更手段に出力する音声判定手段と
を備えることを特徴とする電話装置。
【請求項３】
請求項２に記載の電話装置において、
相手情報に関連づけて音声パラメータを設定可能な音声設定手段を備え、
上記音声設定手段によって設定された音声パラメータが、その音声パラメータに対応する相手情報と関連づけた状態で上記相手情報記憶手段に記憶可能になっていることを特徴とする電話装置。
【請求項４】
請求項３に記載の電話装置において、
上記音声設定手段によって設定された音声パラメータを、相手が実際に受信する音声に変換するための音声変換手段と、
上記相手が実際に受信する音声を出力可能な出力手段と
を備えることを特徴とする電話装置。
【請求項５】
請求項１から４までのいずれか一項に記載の電話装置において、
上記音声変更手段は、
高音と低音とを補正するイコライザと、
音のかすれと、滑舌の悪さとを補正可能な補正音源と
を有していることを特徴とする電話装置。
【発明の詳細な説明】
【技術分野】
【０００１】
本発明は、電話装置に関する。
【背景技術】
【０００２】
従来、電話装置としては、特開２００８−４２７８７号公報（特許文献１）に記載されているものがある。この電話装置は、ハイブースト音声信号処理生成手段と、ローブースト音声信号処理生成手段と、合成音声出力手段とを備える。上記ハイブースト音声信号処理生成手段は、ユーザーが自身の聴力特性や環境に合わせて設けたハイブースト周波数特性設定ラインに基づいて高周波部分を強調処理する一方、上記ローブースト音声信号処理生成手段は、ユーザーが自身の聴力特性や環境に合わせて設けたローブースト周波数特性設定ラインに基づいて低周波部分を強調処理するようになっている。また、上記合成音声出力手段は、上記二つの音声信号処理生成手段からの二つの音声信号を合成して音声を生成し出力するようになっている。
【０００３】
この電話装置は、受話者であるユーザーが、自身の聴力特性や環境に合わせて設定を変更できるようになっているから、自身の聴力特性や環境に寄らず、送信されてきた音声を聞き取り易いようにできる。そして、例えば、飛行場や駅といった騒音の多い場所においても、問題がない会話ができるようになっている。
【０００４】
しかしながら、上記従来の電話装置では、受話者の聴力特性や環境に基づいて音声が変更されるのみであるから、発信者の体調不良や声の特質に基づく受信者側での聞き取りにくさを解消できないという問題がある。
【先行技術文献】
【特許文献】
【０００５】
【特許文献１】特開２００８−４２７８７号公報
【発明の概要】
【発明が解決しようとする課題】
【０００６】
そこで、本発明の課題は、発信者の体調不良や声の特質に基づく受信者側での聞き取りにくさを抑制できる電話装置を提供することにある。
【課題を解決するための手段】
【０００７】
上記課題を解決するため、この発明の電話装置は、
音声を入力するための音声入力手段と、
上記音声入力手段によって入力された音声を発信前に変更するための音声変更手段と
を備えることを特徴としている。
【０００８】
本発明によれば、音声を入力するための音声入力手段と、その音声入力手段によって入力された音声を発信前に変更するための音声変更手段とを備えるから、入力された発信側のユーザーの音声を、音声変更手段で適宜発信前に変更することができる。したがって、発信側のユーザーが体調が悪くて声がかすれている場合や、発信側のユーザーの滑舌が悪い場合等においても、それら聞き取りにくい音声がそのまま受信側に送信されることがないから、より円滑な通話を実現できる。
【０００９】
また、一実施形態では、
相手情報を入力するための相手情報入力手段と、
相手情報と関連づけて音声パラメータを記憶するための相手情報記憶手段と、
上記相手情報入力手段からの上記相手情報が上記相手情報記憶手段に記憶されている場合に、その相手情報に関連づけて記憶されている音声パラメータを表す信号を上記音声変更手段に出力する音声判定手段と
を備える。
【００１０】
上記実施形態によれば、相手情報入力手段からの相手情報が相手情報記憶手段に記憶されている場合に、上記音声判定手段が、その相手情報に関連づけて記憶されている音声パラメータを表す信号を音声変更手段に出力するようになっているから、受信側のユーザーが、相手情報入力手段を使用して相手情報の一例としての相手の電話番号を入力するだけで、受信側のユーザーの音声を各相手に応じてその相手が聞き取りやすい音声に変換することができる。したがって、円滑な通話を実現できる。
【００１１】
また、一実施形態では、
相手情報に関連づけて音声パラメータを設定可能な音声設定手段を備え、
上記音声設定手段によって設定された音声パラメータが、その音声パラメータに対応する相手情報と関連づけた状態で上記相手情報記憶手段に記憶可能になっている。
【００１２】
上記実施形態によれば、音声設定手段によって設定された音声パラメータが、その音声パラメータに対応する相手情報と関連づけた状態で上記相手情報記憶手段に記憶可能になっているから、新たな電話相手に対しても、その新たな電話相手が聞き取りやすい音声を容易に発信できる。
【００１３】
また、一実施形態では、
上記音声設定手段によって設定された音声パラメータを、相手が実際に受信する音声に変換するための音声変換手段と、
上記相手が実際に受信する音声を出力可能な出力手段と
を備える。
【００１４】
上記実施形態によれば、発信側のユーザーが、相手が実際に受信する音声を聞くことができるから、その相手が聞き取りやすい音声であるか否かを確認することができる。
【００１５】
また、一実施形態では、
上記音声変更手段は、
高音と低音とを補正するイコライザと、
音のかすれと、滑舌の悪さとを補正可能な補正音源と
を有している。
【００１６】
上記実施形態によれば、発信側のユーザーの音声を、簡易な構成で受信側のユーザーが聞き取り易い音声に変更できる。
【発明の効果】
【００１７】
本発明によれば、発信者の体調不良や声の特質に基づく受信者側での聞き取りにくさを抑制できる電話装置を実現できる。
【図面の簡単な説明】
【００１８】
【図１】本発明の一実施形態の電話装置のブロック図である。
【図２】上記電話装置で可能な制御の一例を示すフローチャートである。
【発明を実施するための形態】
【００１９】
以下、本発明を図示の形態により詳細に説明する。
【００２０】
図１は、本発明の一実施形態の電話装置のブロック図である。
【００２１】
図１に示すように、この電話装置は、入出力部１０１と、ＩＰ(Internet Protocol)通信部１０２と、コーデック部１０３と、デコード部１０４と、音声判定部１０５と、記録部１０６と、通信制御部１０７と、ＶｏｌＰ（Voice over Internet Protocol）制御部１０８と、音声変換部１０９と、ＣＰＵ（Central Processing Unit：中央演算処理装置）１１０とを備える。
【００２２】
上記入出力部１０１は、入力部と、出力部とを有し、入力部は、ユーザーから音声や相手情報を含む情報が入力可能になっている。上記入力部は、キーや、タッチパネルや、マイク等で構成され、マイクは、音声を入力するための音声入力手段を構成している一方、キーや、タッチパネルは、相手の電話番号を含む相手情報を入力可能になっていると共に、相手情報に関連づけて音声パラメータ（音声学で、周知の音声パラメータを指し、例えば、音の各周波数成分を音声パラメータとしても良い）を設定可能になっている。上記キーや、タッチパネルは、相手情報入力手段と、音声設定手段とを兼用している。上記出力部は、スピーカや、ＬＣＤやＬＥＤ等で構成される表示部等で構成され、ユーザーに各種情報を通知するようになっている。上記スピーカは、音声を出力可能な出力手段を構成している。
【００２３】
上記ＩＰ通信部１０２は、ＩＰ通信を行うための処理を行っている。例えば、ＩＰ通信部１０２は、機器が送信したいデータがNetwork Interface層で送信可能なサイズを超えていた場合、複数のパケットに分割して送信する等の処理を行っている。
【００２４】
上記コーデック１０３は、音声データのデータ変換を行っている。上記コーデック１９３は、データ圧縮機能を使って音声データを圧縮している。また、上記デコード１０４は、音声圧縮したデータを音声データに戻す役割を担っている、
上記記録部１０６は、相手情報記憶手段を構成している。上記記録部１０６は、メモリからなっている。記録部１０６には、電話帳やパラメータなどが記録されるようになっている。詳しくは、上記記録部１０６には、上記相手情報入力手段と、上記音声設定手段とを用いて、相手情報に関連づけた状態で音声パラメータが記憶できるようになっている。
【００２５】
上記音声判定部１０５は、音声判定手段を構成している。上記音声判定部１０５は、電話帳などにより音声パラメータを選択し、通知されるパラメータにより音声を変更するようになっている。上記音声判定部１０５は、上記相手情報入力手段からの相手情報が記録部１０６に記憶されている場合に、その相手情報に関連づけて記憶されている音声パラメータを表す信号を音声変換部１０９に出力するようになっている。また、上記音声判定部１０５は、音声パラメータにより相手が正しいかを判断するようになっている。
【００２６】
上記通信制御部１０７は、ＩＰ通信などの通信を制御するようになっており、ＶｏＩＰ制御部１０８は、ＶｏＩＰ通信を行うための制御を行っている。また、上記音声変換部１０９は、音声パラメータを受け取ったとき、その受け取ったパラメータに基づいて音声を変換するようになっている。上記音声変換部１０９は、上記音声入力手段によって入力された音声を発信前に変更するようになっている。
【００２７】
詳しくは、上記音声変換部１０９は、イコライザと、補正音源とを有している。上記イコライザは、高音と低音とを補正することにより、音声の変換を行っている。また、上記補正音源は、音を適宜追加することにより、音のかすれや、滑舌の悪さを補正するように、音声の変換を行うようになっている。上記音声変換部１０９は、音声変更手段を兼用している。
【００２８】
尚、上記デコード１０４は、設定した音を音声データから音声に変換し、それを聞くことで相手側に聞こえる音声と同じ状態で再生された音声を確認できるようになっている。上記デコード１０４は、音声変換手段を構成している。また、上記出力手段は、音声変換手段によって生成された相手が実際に受信する音声を、出力可能になっている。また、上記ＣＰＵ１１０は、全ての処理を実行する演算装置である。上記ＣＰＵ１１０は、入力された情報を元に各処理部に命令を出して動作させるようになっている。
【００２９】
上記構成において、例えば、ユーザーは、入出力部１０１からの操作で、ＩＰ通信部１０２とＶｏＩＰ制御部１０８によりＶｏＩＰ通話を行う際に記録部１０６にある相手ＤＢ情報から相手情報を抽出し、相手情報が存在するかしないかを確認できる。そして、相手情報が存在しない場合には、新たに相手情報を作成するかそのまま発信するかを選択できる一方、相手情報が存在する場合には、その相手情報を利用するかどうかを選択し、利用する場合には音声設定を反映して接続を行うことができる。
【００３０】
また、ユーザーは、相手情報を作成する場合には、音声変換部１０９により音声設定、音盛り設定を行い、設定した音をデコード１０４により音声データから音声に変換し、それを聞くことで相手側に聞こえる音声と同じ状態で再生された音声を確認できる。そして、その後、その情報を登録するか破棄するかを選択でき、登録する場合には記録部１０８に保存できる。
【００３１】
また、ユーザーが、変更した音声データを送信する場合には、記録部１０６に保存された情報から音声変換部１０８およびコーデック１０３により音声データが通信可能なデータに変換されるようになっている。また、この実施形態では、ユーザーは、相手からの情報をもとに音声判定部１０５により音声データおよびパラメータを使って正しい相手か否か判断を行うこともできる。また、音声補正に利用するパラメータや元の音源を記録部１０６に保存でき、体調により声がかすれていた際には健康状態に近づけた補正を行った通話を行うことができる。
【００３２】
図２は、上記実施形態の電話装置で可能な制御の一例を示すフローチャートである。尚、以下の制御は、ＣＰＵ１１０が、各部１０１〜１０９に制御信号を出力し、また、各部１０１〜１０９から信号を受けることにより行っている。
【００３３】
先ず、ステップＳ００１で、相手への接続のための相手情報の入力を行って、制御がスタートすると、ステップＳ００２で、データベース（ＤＢ）による相手の検索を行い、ステップＳ００３で、データベースに相手の情報が記録されているか否かを判断する。
【００３４】
ステップＳ００３で、データベースに相手の情報が記録されていると判断すると、ステップＳ０１１に移行する。一方、ステップＳ００３で、相手情報がないと判断すると、ステップＳ００４に移行して、相手の情報を作成するか否かを決定する。ステップＳ００４で、相手の情報を作成しないことが決定されると、ステップＳ０１３に移行して、相手への接続が行われて、制御がエンドになる。一方、ステップＳ００４で、相手の情報を作成することが決定されると、ステップＳ００５に移行して、入力部を使用して、自分の音声の設定をイコライザ等により変更した後、次のステップＳ００６に移行するようになっている。
【００３５】
ステップＳ００６では、自分の音声の設定をイコライザ等により変換した結果や、パラメータによる変換などを行って、実際に相手に通信して送信する状態の変換を行うようになっている。そして、次のステップＳ００７に移行する。
【００３６】
ステップＳ００７では、送信側のユーザーが、実際に相手に通信して送信する状態の音声を確認し、ステップＳ００８で、その音声が適切であるか否かを判断する。ステップＳ００８で、送信側のユーザーが、実際に相手に通信して送信する状態の音声が適切でないと判断すれば、再度、ステップＳ００５を繰り返す。一方、ステップＳ００８で、送信側のユーザーが、実際に相手に通信して送信する状態の音声が適切であると判断すれば、次のステップＳ００９に移行して、確認して問題が無いと判断されたデータを登録するか否かの判断をするようになっている。そして、ステップＳ００９で、登録しない旨の判断を行えば、ステップＳ００３を再度行う一方、ステップＳ００９で、登録する旨の判断を行えば、ステップＳ０１０でその情報の登録処理を行った後、ステップＳ００３を再度行うようになっている。
【００３７】
次に、ステップＳ０１１では、音声変換の機能を利用するか否かを判断するようになっている。そして、ステップＳ０１１で、変換を利用することを決定すれば、ステップＳ０１２に移行して、相手情報からパラメータ等を抽出して音の変換を行って、音声の設定を反映した後、ステップＳ０１３で相手との接続を行って、制御がエンドになる。
【００３８】
一方、ステップＳ０１１で、変換を使用しないことを決定すれば、変換を行わずに、ステップＳ０１３に移行して、ステップＳ０１３で相手との接続を行って、制御がエンドになる。
【００３９】
上記実施形態によれば、音声入力手段によって入力された音声を音声変更手段で発信前に変更できるから、相手側に聞き取りやすい音声で伝えることができる。したがって、体調により声が変わっていても、元の音声に調整することで相手に伝えることができ、また、個人の声特性（高い、低い、かすれ、かつぜつ）を補正することで、音声を、相手に伝わり易くすることができる。
【００４０】
また、上記実施形態によれば、電話帳などから相手情報を抽出することにより、相手によって補正パラメータ（音声パラメータ）を変えることができるから、例えば、高齢者は高い周波数が聞き取りにくいので低音を強調することで、音声が、相手に伝わり易くすることができる。
【００４１】
また、上記実施形態によれば、自分の気に入った音声に修正して通話ができる。詳しくは、声のパラメータを修正し、自分声を作ることができる。また、声を変更する場合は、あらかじめ声を録音してベース音源とし、イコライザで修正して、コーデックによる音声圧縮伸長をおこなった結果を再生して、相手に通知されている状態と同じ状態で再生を行うことができる。
【００４２】
尚、上記実施形態では、相手情報記憶手段を有していたが、この発明では、相手情報記憶手段を有さず、電話をする度に、音声変換を行うようになっていても良い。
【００４３】
また、上記実施形態では、相手情報入力手段を有し、新たな電話相手の音声変換情報を、ユーザーが電話装置を使用して入力できるようになっていたが、この発明では、相手情報入力手段を有さない一方、相手情報記憶手段を有して、予め定められた相手情報のみが収容された記憶手段を、電話装置に装着する構成でも良く、学習機能が存在しなくても良い。
【００４４】
また、上記実施形態では、音声変換手段を有して、実際に相手が聞く音声を確認できたが、この発明では、音声変換手段を有さなくて、実際に相手が聞く音声を確認できなくても良い。
【００４５】
また、本発明では、音声を変更するパラメータを受信側に通知して、受信側（相手先）でそのパラメータで補正しても良く、また、相手先でパラメータを利用する、しないを設定するようにしても良い。このようにすると、相手側が、パラメータにより送信者のパラメータと正しいか否かを判断することができるので、なりすましを防ぐことができ、オレオレ詐欺等を事前に防止することができる。
【００４６】
また、本発明では、簡易的なデフォルトパラメータを用意しておき、地声モード、声盛りモード、声補正モードなどを、簡単な操作により選択することができるようにしても良い。
【００４７】
また、本発明では、文書を読み上げる音源として自分声を利用することもでき、自動応答を録音せずに文書で用意することで自分声で再生することができるようにしても良い。
【符号の説明】
【００４８】
１０１  入出力部
１０４  デコード
１０５  音声判定部
１０６  記録部
１０９  音声変換部
１１０  ＣＰＵ
【図１】
2014060601.tif 000003
【図２】
2014060601.tif 000004